(57)【要約】【課題】レリーズタイムラグを予め測定しレリーズタイムラグの発生を考慮して所望の画像を常に確実に取得できるようにした撮像装置を提供する。【解決手段】操作者の第１の操作により第１の信号を出力し第１の操作に続くさらなる第２の操作により第２の信号を出力する信号出力手段と、第１の信号を受け続け第２の信号を受けるまで連続して複数の画像の撮像を行う第１の撮像手段と、第１の撮像手段による撮像に続いて第２の操作によって出力された第２の信号を受けて撮像を行う第２の撮像手段と、第１の撮像手段により撮像された複数の画像から第２の撮像手段で撮像され第２の信号を受けた直後の画像とは異なる所望の画像を選択する画像選択手段と、第２の撮像手段で得られた所望の画像までの時間若しくは画像数を計る測定手段とを具備する。【選択図】図１
2018046514.tif 000002
【特許請求の範囲】
【請求項１】
撮像装置において、
操作者の第１の操作により第１の信号を出力し、該第１の操作に続くさらなる第２の操作により第２の信号を出力する信号出力手段と、
上記第１の信号を受け続け上記第２の信号を受けるまで連続して複数の画像の撮像を行う第１の撮像手段と、
上記第１の撮像手段による撮像に続いて上記第２の操作によって出力された上記第２の信号を受けて撮像を行う第２の撮像手段と、
上記第１の撮像手段により撮像された複数の画像から、上記第２の撮像手段で撮像され上記第２の信号を受けた直後の画像とは異なる所望の画像を選択する画像選択手段と、
上記第２の撮像手段で得られた上記所望の画像までの時間若しくは画像数を計る測定手段と、
を具備したことを特徴とした撮像装置。
【請求項２】
上記第２の撮像手段による最初の撮像画像から上記計時された時間若しくは画像数を遡り、上記第１の撮像手段により取得した複数の画像のうちの一画像を表示させる制御手段を、
さらに有することを特徴とした請求項１記載の撮像装置。
【請求項３】
撮像装置において、
操作者の操作を受ける被操作部材と、
操作者の上記被操作部材に対する第１の操作を受けて該第１の操作により第１の信号を出力し、該第１の操作に続くさらなる操作者の第２の操作により第２の信号を出力する信号出力手段と、
操作者に上記被操作部材に対する操作を指示する表示を行う表示手段と、
上記表示手段による上記表示の開始から上記被操作部材が操作された時点までを計時する計時手段と、
を具備したことを特徴とした撮像装置。
【請求項４】
上記表示手段は、操作者に上記第２の操作を指示する表示を行うことを特徴とした請求項３に記載の撮像装置。
【請求項５】
さらに、
上記第１の信号を受け続け上記第２の信号を受けるまで連続して複数の画像の撮像を行う第１の撮像手段と、
上記第１の撮像手段の撮像に続いて上記第２の操作による上記第２の信号を受けて撮像を行う第２の撮像手段と、
上記第２の撮像手段による最初の撮像画像から上記計時された時間相当若しくは上記画像数分を遡り、上記第１の撮像手段により取得した複数の画像の中の一画像を表示させる制御手段と、
をさらに具備することを特徴とした請求項３又は請求項４に記載の撮像装置。
【請求項６】
撮像装置であって、
画像表示を行う表示手段と、
操作者の第１の操作により第１の信号を出力し、該第１の操作に続くさらなる第２の操作により第２の信号を出力する信号出力手段と、
上記第１の信号を受け続け上記第２の信号を受けるまで連続して複数の画像の撮像を行う第１の撮像手段と、
上記第２の信号を受けて少なくとも単一の画像の撮像を行う第２の撮像手段と、
上記第１の撮像手段により撮像された複数の画像から操作者が所望の画像を選択する画像選択手段と、
上記第２の撮像手段で得られた画像から上記選択された所望の画像までの時間若しくは画像数を遡って計る測定手段と、
上記測定手段により得られた結果を記憶する測定結果記憶手段と、
上記第１の撮像手段と上記第２の撮像手段により撮像を行い、上記画像選択手段により上記画像が選択され、該選択された該画像に基づいて上記測定手段及び上記測定結果記憶手段を作用させる撮像測定モード手段と、
上記測定撮像モード手段で得られた測定結果に基づいて自動的に所定の画像を選択し、該選択された画像を上記表示手段に表示させる制御を行う制御手段と、
を具備したことを特徴とした撮像装置。
【請求項７】
撮像装置であって、
画像表示を行う表示手段と、
被操作部材を有し、操作者の該被操作部材への第１の操作により第１の信号を出力し、該第１の操作に続くさらなる操作者の該被操作部材への第２の操作により第２の信号を出力する信号出力手段と、
上記第１の信号を受け続け上記第２の信号を受けるまで連続して複数の画像の撮像を行う第１の撮像手段と、
所望の画像を得るための上記第２の操作によって出力される上記第２の信号を受けて少なくとも単一の画像の撮像を行う第２の撮像手段と、
上記所望の画像を得るための上記第２の操作に対する上記被操作部材への操作遅れを測定するため、上記表示手段に上記被操作部材への準備操作を促すための第１の表示を行い、撮像を行わない上記第２の操作を指示する第２の表示を行い、該第２の操作が行われると、該第２の表示から該第２の操作までの時間を計時し、該計時時間を記憶する操作遅れ計測手段と、
上記第１の撮像手段により複数の画像を撮像し、上記第２の撮像手段により撮像し、該第２の撮像手段による撮像開始により撮像された第２の画像から、上記操作遅れ計測手段で計時された時間分若しくは該計時時間分に相当する撮像画像数分を、上記第１の撮像手段による複数の画像の最初の画像の方向に遡った画像を表示する制御を制御手段と、
を具備することを特徴とした撮像装置。
【請求項８】
上記撮像装置は、上記操作遅れ計測手段のみを作用させる操作遅れ計測手段モードと、該操作遅れ計測手段モードを作用させないで、上記第１の撮像手段と上記第２の撮像手段とを作用させる本画像前後撮像モードとを有し、どちらか一方を選択可能としたことを特徴とした請求項７記載の撮像装置。
【請求項９】
上記第２の撮像手段で複数の画像を連続して撮像することを特徴とした請求項６記載の撮像装置。
【請求項１０】
画像の一時保存を行う一時保存手段を、さらに具備し、
上記第１の撮像手段は、撮像画像を連続で撮像可能で、上記一時保存手段の記憶容量を超えて撮像すると直近の画像からの複数画像を記憶媒体に本記録することを特徴とした請求項６記載の撮像装置。
【請求項１１】
上記第２の撮像手段は、複数の撮像画像を連続で撮像可能で、撮像する毎に撮像された画像を上記表示手段に表示し、表示される該画像と該画像との間に、黒画像を表示することを特徴とした請求項７又は請求項１０記載の撮像装置。
【請求項１２】
上記黒画像が事前に表示された撮像画像を上記一時保存手段に保存し、
該保存された該画像を本記録し、
上記黒画像が事前に表示さない撮像画像は本記録されない
ことを特徴とした請求項１１記載の撮像装置。
【請求項１３】
上記黒画像は、上記一時保存手段に画像を保存できないとき、表示が行われないことを特徴とした請求項１２記載の撮像装置。
【発明の詳細な説明】
【技術分野】
【０００１】
この発明は、所望の画像を得るための被操作部材への操作遅れを測定可能な撮像装置に関するものである。
【背景技術】
【０００２】
従来、撮像光学系により結像された光学像を撮像素子等を用いて順次画像信号に変換し、これにより得られた画像信号に基く画像を画像表示装置を用いて順次連続的に表示するライブビュー機能を備え、撮像指示信号が発生した時には、その指示信号の発生時点若しくはその前後の所定期間における画像信号を取得し、これを記憶用画像データに変換して記憶媒体に記録する記録機能を有する一方、再生指示信号が発生した時には、記憶媒体に記録済みの画像データを画像信号に変換して、その画像信号に基く画像を画像表示装置を用いて再生表示し得る再生機能を有して構成されたデジタルカメラ等の撮像装置が一般に実用化され、広く普及している。
【０００３】
従来のこの種の撮像装置においては、使用者（ユーザ）が所定の被操作部材を操作することで撮像動作が開始されるように構成されているのが一般である。この場合において、使用者が撮像開始操作を行ったタイミングと、撮像装置が実際に撮像動作を開始するタイミングとの間には若干の時間的な遅れ（タイムラグ）が生じることは知られている。
【０００４】
また、動く被写体（動体）を撮像する場合においては、使用者が撮像を所望するタイミングと、使用者が実際に撮像開始操作を行うタイミングとの間に若干の時間的な遅れ（タイムラグ）が生じることも知られている。このように、装置若しくは使用者に起因して生じる時間的なレリーズ信号の発生遅れ（タイムラグ）を、以下の説明においては、レリーズタイムラグというものとする。
【０００５】
そこで、撮像動作時に生じるレリーズタイムラグを考慮して、所望の画像を容易に取得し得るように構成した撮像装置が、例えば特開平３−２１３０６９号公報，特開２００１−２５７９７６号公報等によって、従来、種々の提案がなされている。
【０００６】
例えば、上記特開平３−２１３０６９号公報等によって開示されている撮像装置は、撮像手段と、バッファメモリと、レリーズ信号発生手段と、予備撮像手段とを備え、レリーズ信号発生前に撮像手段により取得される画像信号のうち予備撮像手段の動作が開始された後の画像信号をバッファメモリに記憶し、レリーズ信号の発生に応じて、バッファメモリに記録済みの画像信号のうちの少なくとも１画面分以上の画像信号を記録媒体に記録するように構成している。
【０００７】
また、上記特開２００１−２５７９７６号公報等によって開示されている撮像装置は、ファーストレリーズによって撮像動作が開始されると、取得された画像信号のバッファメモリ（内部メモリ）への記憶が開始される。続くセカンドレリーズがなされると、そのセカンドレリーズ信号の発生タイミングの画像信号が基準画像として記録媒体（メモリカード）に記録されると共に、この基準画像以降のポストコマと、セカンドレリーズ信号以前にバッファメモリに記憶されていたプレコマとが、メモリカードに記録される。このように、撮像動作の実行であるセカンドレリーズ信号の発生前後の複数の画像信号が記録媒体（メモリカード）に記録されるように構成している。
【０００８】
つまり、上記特開平３−２１３０６９号公報，上記特開２００１−２５７９７６号公報等によって開示されている従来の撮像装置においては、レリーズ信号（セカンドレリーズ信号）の発生時点を基準として、それ以前、若しくは、その前後の所定コマ数の画像信号を記録媒体に記録することができるというものである。
【先行技術文献】
【特許文献】
【０００９】
【特許文献１】特開平３−２１３０６９号公報
【特許文献２】特開２００１−２５７９７６号公報
【発明の概要】
【発明が解決しようとする課題】
【００１０】
ところが、撮像動作時に生じる上記レリーズタイムラグは、装置毎に、又は使用者毎に異なるものであるため、上記特開平３−２１３０６９号公報，上記特開２００１−２５７９７６号公報等によって開示されている従来の撮像装置によっては、使用者が所望する画像を常に必ず取得することができるとは限らないという問題点がある。
【００１１】
本発明は、上述した点に鑑みてなされたものであって、その目的とするところは、装置毎あるいは使用者毎に異なるレリーズタイムラグを予め測定し、レリーズタイムラグの発生を考慮して、所望の画像を常に確実に取得できるようにした撮像装置を提供する。
【課題を解決するための手段】
【００１２】
上記目的を達成するために、本発明の一態様の撮像装置は、撮像装置において、操作者の第１の操作により第１の信号を出力し、該第１の操作に続くさらなる第２の操作により第２の信号を出力する信号出力手段と、上記第１の信号を受け続け上記第２の信号を受けるまで連続して複数の画像の撮像を行う第１の撮像手段と、上記第１の撮像手段による撮像に続いて上記第２の操作によって出力された上記第２の信号を受けて撮像を行う第２の撮像手段と、上記第１の撮像手段により撮像された複数の画像から、上記第２の撮像手段で撮像され上記第２の信号を受けた直後の画像とは異なる所望の画像を選択する画像選択手段と、上記第２の撮像手段で得られた上記所望の画像までの時間若しくは画像数を計る測定手段と、を具備した。
【００１３】
本発明の他の一態様の撮像装置は、撮像装置において、操作者の操作を受ける被操作部材と、操作者の上記被操作部材に対する第１の操作を受けて該第１の操作により第１の信号を出力し、該第１の操作に続くさらなる操作者の第２の操作により第２の信号を出力する信号出力手段と、操作者に上記被操作部材に対する操作を指示する表示を行う表示手段と、上記表示手段による上記表示の開始から上記被操作部材が操作された時点までを計時する計時手段と、を具備した。
【００１４】
本発明の別の一態様の撮像装置は、撮像装置であって、画像表示を行う表示手段と、操作者の第１の操作により第１の信号を出力し、該第１の操作に続くさらなる第２の操作により第２の信号を出力する信号出力手段と、上記第１の信号を受け続け上記第２の信号を受けるまで連続して複数の画像の撮像を行う第１の撮像手段と、上記第２の信号を受けて少なくとも単一の画像の撮像を行う第２の撮像手段と、上記第１の撮像手段により撮像された複数の画像から操作者が所望の画像を選択する画像選択手段と、上記第２の撮像手段で得られた画像から上記選択された所望の画像までの時間若しくは画像数を遡って計る測定手段と、上記測定手段により得られた結果を記憶する測定結果記憶手段と、上記第１の撮像手段と上記第２の撮像手段により撮像を行い、上記画像選択手段により上記画像が選択され、該選択された該画像に基づいて上記測定手段及び上記測定結果記憶手段を作用させる撮像測定モード手段と、上記測定撮像モード手段で得られた測定結果に基づいて自動的に所定の画像を選択し、該選択された画像を上記表示手段に表示させる制御を行う制御手段と、を具備した。
【００１５】
本発明のさらに別の一態様の撮像装置は、撮像装置であって、画像表示を行う表示手段と、被操作部材を有し、操作者の該被操作部材への第１の操作により第１の信号を出力し、該第１の操作に続くさらなる操作者の該被操作部材への第２の操作により第２の信号を出力する信号出力手段と、上記第１の信号を受け続け上記第２の信号を受けるまで連続して複数の画像の撮像を行う第１の撮像手段と、所望の画像を得るための上記第２の操作によって出力される上記第２の信号を受けて少なくとも単一の画像の撮像を行う第２の撮像手段と、上記所望の画像を得るための上記第２の操作に対する上記被操作部材への操作遅れを測定するため、上記表示手段に上記被操作部材への準備操作を促すための第１の表示を行い、撮像を行わない上記第２の操作を指示する第２の表示を行い、該第２の操作が行われると、該第２の表示から該第２の操作までの時間を計時し、該計時時間を記憶する操作遅れ計測手段と、上記第１の撮像手段により複数の画像を撮像し、上記第２の撮像手段により撮像し、該第２の撮像手段による撮像開始により撮像された第２の画像から、上記操作遅れ計測手段で計時された時間分若しくは該計時時間分に相当する撮像画像数分を、上記第１の撮像手段による複数の画像の最初の画像の方向に遡った画像を表示する制御を制御手段と、を具備する。
【発明の効果】
【００１６】
本発明によれば、装置毎あるいは使用者毎に異なるレリーズタイムラグを予め測定し、レリーズタイムラグの発生を考慮して、所望の画像を常に確実に取得できるようにした撮像装置を提供することができる。
【図面の簡単な説明】
【００１７】
【図１】本発明の一実施形態の撮像装置の概略構成を示すブロック構成図
【図２】図１の撮像装置が撮像動作モードにある時に、レリーズ信号が生じ、そのレリーズ信号に応じて実行される画像データの記録動作の状況を概念的に示すタイムチャート
【図３】図１の撮像装置のメインシーケンスを示すフローチャート
【図４】図１の撮像装置の撮像処理（図３のステップＳ９の撮像処理）のうち単独撮像動作モード（単写モード）時のサブシーケンスを示すフローチャート（前半部）
【図５】図１の撮像装置の撮像処理（図３のステップＳ９の撮像処理）のうち単独撮像動作モード（単写モード）時のサブシーケンスを示すフローチャート（後半部）
【図６】図１の撮像装置の撮像動作の実行中における記録動作に関し、使用者に対して記録動作状況を告知するための設定モードの組み合わせ例を示す表
【図７】図１の撮像装置の撮像処理（図３のステップＳ９の撮像処理）のうち連続撮像動作モード（連写モード）時のサブシーケンスを示すフローチャート（前半部）
【図８】図１の撮像装置の撮像処理（図３のステップＳ９の撮像処理）のうち連続撮像動作モード（連写モード）時のサブシーケンスを示すフローチャート（後半部）
【図９】図１の撮像装置のメインシーケンスにおける設定変更処理（図３のステップＳ１０の処理）の「コマ数設定」処理シーケンスを示すフローチャート
【図１０】図９の「コマ数設定」処理において設定されるコマ数の概念を説明するための説明図
【図１１】図９の「コマ数設定」処理シーケンスのうちの「タイムラグ設定」処理シーケンス（図９のステップＳ７３の処理）を示すフローチャート（前半部）
【図１２】図９の「コマ数設定」処理シーケンスのうちの「タイムラグ設定」処理シーケンス（図９のステップＳ７３の処理）を示すフローチャート（後半部）
【図１３】図９の「コマ数設定」処理シーケンスのうちの「タイムラグ設定」処理シーケンス（図９のステップＳ７３の処理）に相当する「タイムラグ測定」処理シーケンスを示すフローチャート
【発明を実施するための形態】
【００１８】
以下、図示の実施の形態によって本発明を説明する。以下の説明に用いる各図面は模式的に示すものであり、各構成要素を図面上で認識可能な程度の大きさで示すために、各部材の寸法関係や縮尺等を各構成要素毎に異ならせて示している場合がある。したがって、本発明は、各図面に記載された各構成要素の数量や各構成要素の形状や各構成要素の大きさの比率や各構成要素の相対的な位置関係等に関して、図示の形態のみに限定されるものではない。
【００１９】
本発明の一実施形態は、撮像光学系により結像された光学像を、撮像素子（例えばＣＣＤ（Charge Coupled Device；電荷結合素子）イメージセンサーやＣＭＯＳ（Complementary Metal Oxide Semiconductor；相補性金属酸化膜半導体）型イメージセンサー等の光電変換素子等）を用いて順次光電変換して画像信号を取得し、これにより得られた画像信号に基く画像を画像表示装置（例えば液晶表示ディスプレイ（Liquid Crystal Display；ＬＣＤ）や有機エレクトロルミネッセンス（有機ＥＬ；Organic Electro-Luminescence：ＯＥＬ）ディスプレイ等）を用いて順次連続的に表示するライブビュー機能を備え、撮像指示信号が発生した時には、その指示信号の発生時点若しくはその前後の所定期間における画像信号を取得し、これを記憶用画像データ（例えば静止画像又は動画像を表わすデジタル画像データ）に変換して記憶媒体に記録する記録機能を有する一方、再生指示信号が発生した時には、記憶媒体に記録済みの画像データを画像信号に変換して、その画像信号に基く画像（例えば静止画像又は動画像）を画像表示装置を用いて再生表示し得る再生機能を有して構成された撮像装置（例えばデジタルカメラやビデオカメラ等）を例示する。
【００２０】
まず、本発明の一実施形態の撮像装置の概略構成を、図１を用いて以下に説明する。図１は、本発明の一実施形態の撮像装置の概略構成を示すブロック構成図である。
【００２１】
本実施形態の撮像装置１は、図１に示すように、撮像光学系１０と、撮像素子１１と、ＡＦＥ回路部１２と、バッファメモリ（図１では単にバッファと表記している）１３と、画像処理部１４と、圧縮伸張部１５と、撮像駆動部１６と、ＡＦ駆動部１７と、表示駆動部１８と、発音駆動部１９と、制御部２０と、操作入力部２１と、外部メモリＩＦ部２２と、内部メモリ２３と、ＥＶＦ３１と、背面モニタ３２と、スピーカ３３と、ファーストレリーズスイッチ（図１においては１ｓｔレリーズＳＷと略記している。以下同様）３４と、セカンドレリーズスイッチ（図１においては２ｎｄレリーズＳＷと略記している。以下同様）３５と、メモリカード３６等を、主に具備して構成されている。
【００２２】
なお、本実施形態の撮像装置１は、これらの構成部材以外にも、種々の構成部材を有しているのは当然である。しかしながら、本実施形態の撮像装置１において、上述した構成部材以外のその他の構成部材については、本発明に直接関連するものではないので、その図示及び詳細な説明は省略する。
【００２３】
撮像光学系１０は、被写体１００を含む所定の範囲の光を集光し透過させることで、被写体像を含む光学像を所定の位置に結像させるものである。撮像光学系１０は、複数の光学レンズや、これら複数の光学レンズをそれぞれ保持する複数のレンズ鏡筒のほか、これら複数のレンズ鏡筒の一部を光軸Ｏに沿う方向に移動させるための移動機構等を含んで構成されている。撮像光学系１０のユニット構成の図示及び説明は省略する。
【００２４】
撮像素子１１は、上記撮像光学系１０によって結像された被写体１００を含む光学像を受けて順次光電変換することにより画像信号を取得するための撮像手段である。撮像素子１１としては、例えばＣＣＤ等の半導体素子を用いたＣＣＤイメージセンサーや、ＣＭＯＳを用いた固体撮像素子であるＭＯＳ型イメージセンサー等が適用される。撮像素子１１は、後述する撮像駆動部１６を介して制御部２０によって駆動制御される。
【００２５】
本実施形態の撮像装置１における撮像手段である撮像素子１１は、詳述すると、例えば、１ｓｔレリーズ信号（第１の信号）を受け続け、２ｎｄレリーズ信号（第２の信号）を受けるまで連続して複数の画像データの撮像を行う第１の撮像手段と、上記第１の撮像手段による撮像に続いて２ｎｄレリーズ操作（第２の操作）によって出力された２ｎｄレリーズ信号（第２の信号）を受けて撮像を行う第２の撮像手段と、を有している。
【００２６】
ＡＦＥ（Analog Front End；アナログフロントエンド）回路部１２は、上記撮像素子１１（信号検出デバイス）と制御部２０（デジタル信号処理デバイス）との間に介在するアナログ回路部である。ＡＦＥ回路部１２は、上記撮像素子１１からの出力信号（アナログ画像信号）を受けて、デジタル変換処理等を含む各種の前処理を行なうアナログ回路部である。なお、本実施形態におけるＡＦＥ回路部１２は、制御部２０と接続されている。
【００２７】
バッファメモリ（図１では単にバッファと表記している）１３は、上記撮像素子１１により取得された後、上記ＡＦＥ回路部１２によって前処理済みのデジタル画像データを一時的に保存する一時保存手段である。また、当該バッファメモリ１３は、後述の画像処理部１４，圧縮伸張部１５等において処理済みの画像データを一時的に保存する一時保存手段でもある。このバッファメモリ１３は、例えばＲＡＭ（Random Access Memory；ラム）等の半導体メモリが適用される。
【００２８】
画像処理部１４は、制御部２０の制御下において、バッファメモリ１３に一時保存された画像データを読み出して、これに対して様々な画像処理、例えば画像強調処理や各種の補正処理等、適宜必要とする画像処理を施す回路部である。
【００２９】
圧縮伸張部１５は、制御部２０の制御下において、バッファメモリ１３に一時保存された画像データを読み出して、これに対してＪＰＥＧ等の処理方式によるデータ圧縮処理及びデータ伸張処理を行う回路部である。
【００３０】
撮像駆動部１６は、制御部２０による制御信号を受けて、上記撮像素子１１を駆動し制御する回路部である。
【００３１】
ＡＦ駆動部１７は、制御部２０による制御信号を受けて、上記撮像光学系１０を駆動し制御する回路部である。具体的には、ＡＦ駆動部１７は、オートフォーカス動作を実行するための回路部である。
【００３２】
表示駆動部１８は、制御部２０の制御下において、複数の画像表示装置（ＥＶＦ３１と背面モニタ３２）を、例えばアイセンサ（不図示）の出力に基づいて切り換えて駆動制御する回路部である。なお、上記表示駆動部１８と、ＥＶＦ３１及び背面モニタ３２とによって表示手段が構成されている。この表示手段は、撮像素子１１により取得され種々の画像処理を経て取得された画像データに基く画像やメモリカード３６（後述）に記憶済みの画像データに基く画像等を表示するほか、予め内部メモリ２３（後述）等に記憶され当該撮像装置１における各種の設定を行うプログラムに対応するメニュー表示や設定表示等や、所定の設定動作時（例えばタイムラグ設定動作時）等において、操作者に被操作部材（後述）に対する操作を指示する表示等も行う。
【００３３】
ここで、ＥＶＦ（Electronic View Finder；電子ビューファインダー）３１は、接眼方式の小型表示装置からなる、いわゆる電子ビューファインダーである。また、背面モニタ３２は、撮像装置１の本体背面側において表示面を外面に向けて設けられた小型表示装置である。これらＥＶＦ３１，背面モニタ３２は、いずれも、例えば小型ＬＣＤ若しくは有機ＥＬディスプレイ等が適用される。
【００３４】
発音駆動部１９は、制御部２０の制御下において、発音部材であるスピーカ３３を駆動制御するための回路部である。発音駆動部１９は、例えばスピーカ３３から適宜所定の警告音等のほか、オートフォーカス動作時における合焦音やシャッター動作時の疑似シャッター音等を発音動作させるのに用いられる。
【００３５】
制御部２０は、当該撮像装置１の電気的回路全体を統括的に制御する回路部からなる制御手段である。制御部２０は、例えばＣＰＵ（Central Processing Unit）等のプロセッサによって構成され、例えば後述の内部メモリ２３に予め記録されているプログラムに従って当該撮像装置１の各構成ユニットを制御する。
【００３６】
操作入力部２１は、当該撮像装置１の外面に設けられる各種複数の被操作部材と、これら被操作部材の各々に対応するスイッチ部材及びそれらのスイッチ部材を含む回路部等によって構成される構成ユニットである。操作入力部２１に含まれる各スイッチ部材から出力される操作信号は、制御部２０へと伝達され、これを受けた制御部２０は、各種の制御信号を対応する構成ユニットへ出力するように構成されている。操作入力部２１に含まれる被操作部材としては、具体的には例えば、電源オンオフボタン，メニュー呼出ボタン，動作モード変更ボタン，再生ボタン，シャッターレリーズボタン等がある。
【００３７】
なお、本実施形態において被操作部材としてのシャッターレリーズボタン（機械的構造部品；不図示）が作用するシャッターレリーズスイッチ（電気部品；不図示）は、一段目の押圧操作でファーストレリーズ（以下、１ｓｔレリーズと表記する）信号が出力されるファーストレリーズスイッチ（以下、１ｓｔレリーズＳＷと表記する）３４と、この１ｓｔレリーズＳＷ３４の一段目の押圧操作から、さらに連続して押圧することでセカンドレリーズ（以下、２ｎｄレリーズと表記する）信号が出力されるセカンドレリーズスイッチ（以下、２ｎｄレリーズＳＷと表記する）３５とによって構成される二段スイッチ部材を採用した信号出力手段である。
【００３８】
この場合において、１ｓｔレリーズ信号（第１の信号）を出力するための操作を１ｓｔレリーズ操作（第１のレリーズ操作，第１の操作）というものとする。また、２ｎｄレリーズ信号（第２の信号）を出力するための操作を２ｎｄレリーズ操作（第２のレリーズ操作，第２の操作）というものとする。
【００３９】
外部メモリインターフェース部（以下、外部メモリＩＦ部という）２２は、制御部２０の制御下において、記憶媒体であり外部メモリであるメモリカード３６等を駆動制御する回路部である。ここで、メモリカード３６は、カード形状の筐体を有する半導体メモリからなり、当該撮像装置１に対して挿抜可能に構成される外部メモリである。このメモリカード３６には、取得された画像データのうち最終形態の所望の画像データが記録保存される。
【００４０】
なお、本実施形態においては、外部メモリＩＦ部２２及び外部メモリとしてのメモリカード３６を最終形態の記録手段として構成しているが、この形態に限られることはない。上記外部メモリＩＦ部及び外部メモリに代えて、撮像装置１の内部に固設される形態の内蔵型メモリとして構成してもよい。
【００４１】
内部メモリ２３は、制御部２０によって実行されるプログラム等が予め格納されているメモリである。また、内部メモリ２３には、当該撮像装置１の動作モード等、設定されている状態が記憶されている。例えば、当該内部メモリ２３には、上述のメニュー表示に用いられるＧＵＩ用画像等が格納されている。なお、当該内部メモリ２３としては、例えばフラッシュメモリ（Flash Memory) 等の不揮発性メモリ等が適用される。
【００４２】
なお、上記撮像素子１１にて取得され、ＡＦＥ回路部１２でデジタル化された画像データは、適宜、バッファメモリ１３，画像処理部１４，圧縮伸張部１５へと伝送される。このときの画像データの伝送路として、データバス３７が設けられている。
【００４３】
また、当該撮像装置１における内部構成ユニット間は、制御部２０を基準として網羅される信号線によって互いに接続されている。したがって、制御部２０からの制御信号及び各構成ユニットから制御部２０への出力信号は、この信号線を介して制御部２０と各構成ユニットとの間で伝送されるように構成されている。その他不図示の構成については、従来の撮像装置と略同様である。
【００４４】
このように構成された本実施形態の撮像装置１において、撮像動作が実行される際の作用を以下に説明する。図２は、本実施形態の撮像装置が撮像動作モードにある時に、レリーズ信号が生じ、そのレリーズ信号に応じて実行される画像データの記録動作の状況を概念的に示すタイムチャートである。なお、図２は、基本的に「連写モード」時の動作状況を示しているものであるが、以下の説明においては、「単写モード」時の挙動についても、この図２を用いて説明するものとする（詳細後述）。また、図３は、本実施形態の撮像装置のメインシーケンスを示すフローチャートである。
【００４５】
まず、撮像装置１の電源オンオフボタン（不図示）がオン状態とされて、当該撮像装置１が起動すると、制御部２０は、内部メモリ２３（フラッシュメモリ）から所定のプログラムを読み込んで、図３のメインシーケンスが実行される。
【００４６】
図３のステップＳ１において、制御部２０は、当該撮像装置１の各構成ユニットに対する所定の初期設定処理を実行する。例えば、この初期設定処理において、各回路への電源供給を開始すると共に、当該撮像装置１において、規定の設定若しくは使用者（ユーザ）が予め設定した各種設定値を設定する。例えば、撮像装置１の起動時の動作モードとしての設定として、撮像動作を行ない得る撮像動作モードを設定する。
【００４７】
次に、図３のステップＳ２において、制御部２０は、画像データの読み込み処理を開始する。この画像データ読み込み処理は、撮像素子１１によって連続的に取得される画像信号毎に連続的に行われる。
【００４８】
ここで、画像データ読み込み処理は、制御部２０が撮像駆動部１６を介して撮像素子１１を駆動制御して行われる。撮像素子１１は、撮像面（不図示）上に結像される光学像を、撮像素子１１により光電変換して画像信号（アナログ信号）を生成する。撮像素子１１で生成された画像信号は、ＡＦＥ回路部１２へと出力される。ＡＦＥ回路部１２は、デジタル変換処理等を含む各種の前処理を行ってデジタル画像データを生成する。ＡＦＥ回路部１２で生成されたデジタル画像データは、画像処理部１４へと出力される。これを受けて、画像処理部１４は、例えば表示するのに最適な形態の表示用画像データを生成するための画像処理を行なう。画像処理部１４で生成された表示用画像データは、バッファメモリ１３に一時的に保存される。画像データ読み込み処理においては、これら一連の処理が繰り返される。
【００４９】
図２において、「撮像（キャプチャ）」の欄に示す個々の枠（番号１，２，３，…を振ってある枠）は、それぞれが一つの画像データを示している。そして、図２の「撮像（キャプチャ）」の欄においては、枠番号「１」の画像データから撮像（キャプチャ）動作が開始され、以降、連続的に画像データが取得されるようすを示している。
【００５０】
この画像データ読み込み処理と同時に、制御部２０は、読み込んだ画像データを参照しながら、ＡＦ駆動部１７を介して撮像光学系１０を駆動制御して、撮像素子１１に結像される被写体像が合焦状態となるように調整する処理も行っている。
【００５１】
続いて、図３のステップＳ３において、制御部２０は、ライブビュー画像処理を実行する。このライブビュー画像処理は、撮像素子１１により取得されＡＦＥ回路部１２で前処理が施された画像データを画像処理部１４において表示用画像データを生成する処理である。
【００５２】
ライブビュー画像処理においては、制御部２０は、バッファメモリ１３に一時的に保存された表示用画像データのうちの旧いものから順に読み出し、表示駆動部１８へと出力する。これを受けて、表示駆動部１８は、アイセンサ（不図示）の出力に基づいて対応する表示装置（ＥＶＦ３１又は背面モニタ３２のうちの一方）を駆動制御する。
【００５３】
次に、図３のステップＳ４において、制御部２０は、ライブビュー画像表示処理を実行する。即ち、制御部２０は、上記表示駆動部１８を介して対応中の表示装置（ＥＶＦ３１又は背面モニタ３２）に対して表示用画像データを順次出力する。これを受けて、対応する表示装置（ＥＶＦ３１又は背面モニタ３２）は、当該表示用画像データに基く画像を連続的に表示する。この一連の処理は、図２においては、「撮像（キャプチャ）」の欄及び「画像表示（ＬＶ；ライブビュー）」の欄で示している。このように表示装置（ＥＶＦ３１又は背面モニタ３２）に連続的に表示される画像を目視観察することによって、使用者は、被写体を含む画像を動画像として目視観察することができる。
【００５４】
図３のステップＳ５において、制御部２０は、操作入力部２１を監視して１ｓｔレリーズＳＷ３４の出力（オン信号）の有無を確認する。ここで、１ｓｔレリーズＳＷ３４のオン（ＯＮ）信号が確認された場合には、次のステップＳ９の処理、即ち撮像処理に進む。この撮像処理の詳細（サブルーチン）については後述する（図４〜図８参照）。なお、上記撮像処理については、１つの静止画像のみを取得するための単写モード時の撮像処理と、連続した所定枚数の複数の静止画像を取得し得る連写モード時の撮像処理とがある。撮像処理を実行する際において、単写モード時の撮像処理と、連写モード時の撮像処理とのいずれを実行するかは、その時の設定（規定の設定若しくは使用者が予め行っておく設定）による。
【００５５】
上記撮像処理のサブルーチンを抜けて元に処理に戻ると、その後、ステップＳ８の処理に進む。
【００５６】
なお、図２の「レリーズ信号」の欄に示すように、１ｓｔレリーズＳＷ３４のオン信号が、図示のタイミング、例えば枠番号「３」のキャプチャ画像の取得中の所定の時点近傍で発生したとすると、その１ｓｔレリーズＳＷ３４のオン信号の発生時点と同時点で「画像表示（ＬＶ）」の実行中の表示画像（枠番号「２」）に対応する画像データ（枠番号「２」）からバッファメモリ１３に対する一時保存動作が開始され、以降の画像データが順次一時保存される。
【００５７】
ここで、バッファメモリ１３は、上述したように、上記撮像素子１１により取得された後、上記ＡＦＥ回路部１２によって前処理済みのデジタル画像データを一時的に保存する一時保存手段である。このバッファメモリ１３の内部構造としては、例えば、次のように構成されているものとする。
【００５８】
本実施形態の撮像装置１におけるバッファメモリ１３は、１ｓｔレリーズＳＷ３４がオン状態とされている間、撮像素子１１により取得された画像データを新しいものから所定の枚数分だけ保存しておく領域（第１バッファ領域；不図示）と、２ｎｄレリーズＳＷ３５がオン状態にされた後に取得された画像データから以降を保存しておく領域（第２バッファ領域；不図示）と、メモリカード３６に対して記録するための記録用画像データを一時保存しておく領域（第３バッファ領域；不図示）とを有しているものとする。
【００５９】
つまり、撮像手段である撮像素子１１の第１の撮像手段によって取得された画像データは、第１バッファ領域に一時保存される。また、同撮像手段である撮像素子１１の第２の撮像手段によって取得された画像データは、第２バッファ領域に一時保存される。
【００６０】
一方、図３のステップＳ５において、１ｓｔレリーズＳＷ３４のオン（ＯＮ）信号が確認されない場合、即ち１ｓｔレリーズＳＷ３４がオフ（ＯＦＦ）のままである場合には、ステップＳ６の処理に進む。
【００６１】
続いて、図３のステップＳ６において、制御部２０は、操作入力部２１を監視して設定変更操作、例えばメニュー呼出ボタンの操作や動作モード変更ボタン等の操作がなされたかどうかの確認を行う。ここで、設定変更操作が確認された場合には、次のステップＳ１０の処理、即ち設定変更処理に進む。この設定変更処理は、使用者が操作する被操作部材の操作内容に応じた設定変更処理が実行されることになる。変更する設定の例としては、例えばシャッタースピード設定や絞り設定，ＩＳＯ感度設定，ホワイトバランス設定等や、単写モードと連写モードの切り換え設定等のほか、後述する「黒画像表示モード」や「サウンド発音モード」の設定（図６参照），「コマ数設定」や「タイムラグ設定」等も含まれる。上記設定変更処理における「コマ数設定」（図９参照）や「タイムラグ設定」（図１１，図１２参照）の詳細（サブルーチン）は後述する。
【００６２】
当該設定変更処理のサブルーチンを抜けて元に処理に戻ると、その後、ステップＳ８の処理に進む。
【００６３】
また、図３のステップＳ６において、設定変更操作が確認されない場合には、ステップＳ７の処理に進む。
【００６４】
図３のステップＳ７において、制御部２０は、操作入力部２１を監視して再生操作、例えば再生ボタンの操作がなされたかどうかの確認を行う。ここで、再生操作が確認された場合には、次のステップＳ１１の処理、即ち再生処理に進む。
【００６５】
この再生処理においては、例えば、外部メモリであるメモリカード３６に記録済みの画像データを読み出して、ＥＶＦ３１又は背面モニタ３２に表示する処理のほか、記録済みの画像データのうち不必要な画像データを消去する処理等も行うことができる。なお、この再生処理の詳細（サブルーチン）については、本発明に直接関連しない部分であるので、その詳細説明は省略する。当該再生処理のサブルーチンを抜けて元に処理に戻ると、その後、ステップＳ８の処理に進む。
【００６６】
図３のステップＳ８において、制御部２０は、操作入力部２１を監視して電源オンオフボタンの状態を確認することによって、当該撮像装置１がパワーオン状態にあるか否かを判断する。ここで、パワーオン状態であることが確認された場合には、上述のステップＳ２の処理に戻る。また、パワーオン状態ではないことが確認された場合には、一連の処理を終了する（エンド）。
【００６７】
上述したように、図３のステップＳ５の処理にて１ｓｔレリーズＳＷ３４のオン（ＯＮ）信号が確認されると、ステップＳ９の撮像処理に進む。この場合において、上記ステップＳ９の撮像処理のサブルーチンは、図４，図５に示す単写モード時の撮像処理と、図７，図８の連写モード時の撮像処理とがある。ステップＳ９において、そのいずれに進むかは、その時の撮像装置１における設定が、単写モード設定であるか、連写モード設定であるかによる。
【００６８】
図４，図５は、本実施形態の撮像装置の撮像処理（図３のステップＳ９の撮像処理）のうち単独撮像動作モード（いわゆる単写モード）時のサブシーケンスを示すフローチャートである。なお、図４は当該フローチャートの前半部を示し、図５は当該フローチャートの後半部を示している。
【００６９】
図６は、本実施形態の撮像装置の撮像動作の実行中における記録動作に関し、使用者に対して記録動作状況を告知するための設定モードの組み合わせ例を示す表である。
【００７０】
図７，図８は、本実施形態の撮像装置の撮像処理（図３のステップＳ９の撮像処理）のうち連続撮像動作モード（いわゆる連写モード）時のサブシーケンスを示すフローチャートである。なお、図７は当該フローチャートの前半部を示し、図８は当該フローチャートの後半部を示している。
【００７１】
まず、撮像装置１の撮像動作モードにおいて、当該撮像装置１が単写モードに設定されている場合には、図４，図５に示すサブルーチンが実行される。
【００７２】
即ち、図３のステップＳ９の撮像処理（単写モード時）が実行開始されると、まず、図４のステップＳ２１において、制御部２０は、バッファメモリ１３の初期化処理（バッファクリア処理）を実行する。
【００７３】
次いで、図４のステップＳ２２において、制御部２０は、画像データ読み込み処理を実行する。
【００７４】
続いて、ステップＳ２３において、制御部２０は、ライブビュー画像処理を実行する。
【００７５】
また、次のステップＳ２４において、制御部２０は、ライブビュー画像表示処理を実行する。
【００７６】
これらステップＳ２２，Ｓ２３，２４の処理は、上述の図３のステップＳ２，Ｓ３，Ｓ４の処理で行われている処理が継続して行われているものである。
【００７７】
次に、図４のステップＳ２５において、制御部２０は、操作入力部２１を監視して１ｓｔレリーズＳＷ３４の出力（オン信号）の有無を確認する。ここで、１ｓｔレリーズＳＷ３４のオン（ＯＮ）信号が確認された場合には、１ｓｔレリーズ押圧操作が継続して行われているものと判断されて、次のステップＳ２６の処理に進む。一方、１ｓｔレリーズＳＷ３４のオン（ＯＮ）信号が確認されない場合、即ち１ｓｔレリーズＳＷ３４がオフ（ＯＦＦ）にされた（オン信号が途切れた）ことが確認された場合には、図５のステップＳ３５の処理に進む（図４，図５の符号４Ｂ参照）。
【００７８】
続いて、図４のステップＳ２６において、制御部２０は、操作入力部２１を監視して２ｎｄレリーズＳＷ３５の出力（オン信号）の有無を確認する。ここで、２ｎｄレリーズＳＷ３５のオン（ＯＮ）信号が確認された場合には、次のステップＳ２７の処理に進む。一方、２ｎｄレリーズＳＷ３５のオン（ＯＮ）信号が確認されない場合、即ち２ｎｄレリーズＳＷ３５がオフ（ＯＦＦ）である（オン信号が途切れた）ことが確認された場合には、ステップＳ３６の処理に進む。
【００７９】
図４のステップＳ３６において、制御部２０は、バッファメモリ１３の第１バッファ領域の空きの有無の確認を行う。
【００８０】
バッファメモリ１３の第１バッファ領域には、１ｓｔレリーズ信号がオン状態とされた後、そのオン状態が維持されている間に第１撮像手段によって取得された画像データが一時的に記録される。しかし、その記録領域は、無制限に存在するわけではなく、予め設定された所定の画像数分（枚数分）が確保されているのみである。この場合において、所定の画像数（枚数）は、装置毎に予め決められた規定の数、若しくは使用者が予め設定した数である。
【００８１】
そこで、上述のステップＳ３６の処理においては、バッファメモリ１３の第１バッファ領域の空き状態を確認することで、後のステップＳ３８での一時保存（一時記録）が可能か否かを判断する。このステップＳ３６の処理については、一巡目、即ち上記ステップＳ２１のバッファクリア処理にて初期化直後では、第１バッファ領域は全空き状態となっている。
【００８２】
このステップＳ３６の処理にて、第１バッファ領域に空きがあることが確認された場合には、ステップＳ３８の処理に進む。一方、第１バッファ領域に空きが無いことが確認された場合には、ステップＳ３７の処理に進む。
【００８３】
図４のステップＳ３７において、制御部２０は、バッファメモリ１３の第１バッファ領域に記録済みの画像データのうち最も旧い画像データ（バッファ第１画像データという）と、第３バッファ領域の画像データのうち上記バッファ第１画像データに対応する画像データの削除処理を実行する。その後、ステップＳ３８の処理に進む。
【００８４】
そして、図４のステップＳ３８において、制御部２０は、バッファメモリ１３の第１バッファ領域に対して、新たな一枚分の画像データを一時保存する。その後、上記ステップＳ２２の処理に戻り、以降の一連の処理（即ち、図４のステップＳ２２〜ステップＳ２６及びステップＳ３６〜ステップＳ３８の一連の処理）を繰り返す。この繰り返し処理は、ステップＳ２６の処理にて、２ｎｄレリーズＳＷ３５のオン（ＯＮ）信号が確認されるまで行われる。
【００８５】
このように、上記一連の処理（図４のステップＳ２２〜ステップＳ２６及びステップＳ３６〜ステップＳ３８の一連の処理）は、１ｓｔレリーズ信号のオン状態が継続されている間、継続される。これと並行して、バッファメモリ１３の第３バッファ領域に対しては、上記第１バッファ領域に記憶された画像データのそれぞれに対応する記録用画像データが一時保存される。
【００８６】
なお、上記ステップＳ３６の処理において、バッファメモリ１３の第１バッファ領域が一杯になり空き容量がない状態となった場合（この状態をバッファフル状態というものとする）には、上述したように、ステップＳ３７の処理にて旧い画像データの削除を行なって第１バッファ領域の空き容量を確保した上で、次の画像データの一時保存処理を行うようにしている。
【００８７】
一方、上述のステップＳ２６の処理にて、２ｎｄレリーズＳＷ３５のオン（ＯＮ）信号が確認されて図４のステップＳ２７の処理に進むと、このステップＳ２７において、制御部２０は、バッファメモリ１３の第２バッファ領域への画像データ一時保存処理を行う。ここで行われる画像データ一時保存処理は、上述のステップＳ２６の処理にて、２ｎｄレリーズＳＷ３５のオン信号の発生を受けて実行される処理である。
【００８８】
例えば、図２に示す例では、「レリーズ信号」の欄に示す「２ｎｄ ＯＮ」のタイミングで２ｎｄレリーズ信号が発生している。この２ｎｄレリーズオン信号の発生時点でライブビュー表示されている画像（図２の枠番号「７」）若しくは、２ｎｄレリーズオン信号の発生時点直後の画像（図２の枠番号「８」）と、それより以前の所定の画像数分が一時保存される。図２では、２ｎｄレリーズオン信号の発生時点以降の画像を一時保存の対象として示しているが、これは、後述する連写モード時の態様である。その後、図５のステップＳ２８の処理に進む。
【００８９】
ここで、本実施形態の撮像装置１においては、撮像動作の実行中に使用者に対して動作状況を告知するための複数の告知手段を具備している。この告知手段としては、例えば表示手段（１８，３１，３２）や発音手段（１９，３３）を用いて使用者の視聴覚に働きかける構成ユニットである。
【００９０】
具体的には、上記表示手段を用いて行われる告知形態としては、後述の連写モードであれば、連続的に画像表示を行う。また、単写モードであれば、２ｎｄレリーズＳＷオンで撮像された単一の画像のライブビュー画像の表示中に、所定のタイミングで（例えば画像の記録動作毎）に予め用意された黒画像（全面が黒のみで占められる表示画像を表示する；ブラックアウトさせる）を挿入表示させる黒画像表示モード（図５，図６では「Ｍ＿ＢＬＫ」と表記する）を設ける告知形態がある。なお、黒画像表示モードにおいて、ライブビュー表示中の挿入表示させる画像としては、黒画像以外でもよい。例えば、挿入表示画像の例として、半透過グレー画像でもよいし、所定のアイコンを表示するようにしてもよく、その他さまざまな表示形態が考えられる。
【００９１】
また、上記発音手段を用いて行われる告知形態としては、同様に、後述の連写モードであれば、連続的に画像表示を行う。また、単写モードであれば、２ｎｄレリーズＳＷオンで撮像された単一の画像のライブビュー画像の表示中に、所定のタイミングで（例えば画像の記録動作毎）に予め用意された疑似シャッター音等を発音させるサウンド発音モード（図５，図６では「Ｍ＿ＳＮＤ」と表記する）を設けている。当該撮像装置１においては、この二つの動作モードを組み合わせて設定することができる。その組み合わせ例を図６に示している。
【００９２】
上記黒画像表示モード，サウンド発音モードは、使用者が任意のときに撮像装置１を起動させてメニュー画面操作を行うことで設定し得る。その設定処理は、例えば、図３のメインシーケンスのステップＳ１０の処理に含まれる。
【００９３】
設定例の具体的な適用例としては、例えば、舞台等を対象とする撮像時には、静音化を優先させたいという要望がある。そのため、この場合には、「サウンド発音モード（Ｍ＿ＳＮＤ）」は設定せずに（フラグ＝０；音なし設定）、「黒画像表示モード（Ｍ＿ＢＬＫ）」のみを設定する（フラグ＝１；ブラックアウトあり設定）か若しくは設定しなくてもよい（フラグ＝０；ブラックアウトなし設定）。
【００９４】
また、例えば、スポーツ競技や野鳥等の動態を対象とする撮像時には、ライブビュー表示の視認性を優先させたいという要望がある。そのため、この場合には、「サウンド発音モード（Ｍ＿ＳＮＤ）」を設定して（フラグ＝１；音あり設定）、「黒画像表示モード（Ｍ＿ＢＬＫ）」の設定はしない（フラグ＝０；ブラックアウトなし設定）。
【００９５】
さらに、例えば、通常一般的な従来の一眼レフレックスカメラ等と同等の感覚の撮像を希望する場合には、「サウンド発音モード（Ｍ＿ＳＮＤ）」及び「黒画像表示モード（Ｍ＿ＢＬＫ）」の双方を設定する（フラグ＝１；音あり設定＋ブラックアウトあり設定）。
【００９６】
図５に戻って、ステップＳ２８において、制御部２０は、当該撮像装置１において現在のサウンド発音モード「Ｍ＿ＳＮＤ」の設定を確認する。このサウンド発音モード「Ｍ＿ＳＮＤ」とは、２ｎｄレリーズオン信号の発生以後に取得される画像データの取得タイミングで、また連写モードであれば２ｎｄレリーズオン信号の発生以後に取得される画像データの取得タイミング毎に、例えば疑似シャッター音等を発音させる動作モードである。
【００９７】
ここで、サウンド発音モード「Ｍ＿ＳＮＤ」が設定されている場合（フラグ＝１；音あり設定）には、ステップＳ２９の処理に進む。一方、サウンド発音モード「Ｍ＿ＳＮＤ」が設定されていない場合（フラグ＝０；音なし設定）には、ステップＳ３０の処理に進む。
【００９８】
図５のステップＳ２９において、制御部２０は、発音駆動部１９を介してスピーカ３３を駆動制御して発音動作処理を実行する。その後ステップＳ３０の処理に進む。
【００９９】
続いて、図５のステップＳ３０において、制御部２０は、当該撮像装置１において現在の黒画像表示モード「Ｍ＿ＢＬＫ」の設定を確認する。この黒画像表示モード「Ｍ＿ＢＬＫ」とは、２ｎｄレリーズオン信号の発生時点若しくは直後に取得される画像データの取得タイミングにおいて、その画像を表示する直前に、例えば黒画像を一度だけ表示させる動作モードである。このような表示形態を取ることにより、２ｎｄレリーズオン信号の発生時点に画像データの記録動作が行われたことを、使用者に対して視覚的に告知することができるという効果がある。  
【０１００】
ここで、黒画像表示モード「Ｍ＿ＢＬＫ」が設定されている場合（フラグ＝１;ブラックアウトあり設定）には、ステップＳ３１の処理に進む。一方、黒画像表示モード「Ｍ＿ＢＬＫ」が設定されていない場合（フラグ＝０；ブラックアウトなし設定）には、ステップＳ３２の処理に進む。
【０１０１】
図５のステップＳ３１において、制御部２０は、表示駆動部１８を介して表示装置（ＥＶＦ３１又は背面モニタ３２）を駆動制御して黒画像表示動作処理を実行する。その後ステップＳ３２の処理に進む。
【０１０２】
図２の「画像表示（ＬＶ）」の欄において、「２ｎｄレリーズオン」の発生タイミングの直後に表示されるべき画像である枠番号「８」の画像が表示される前の「斜線で示す指標（ハッチング部）」が黒画像表示を表している。図２に示す例では、枠番号「８」以降に表示される画像毎に黒画像を表示するように示しているが、この表示形態は、後述する「連写モード」時の表示形態であり、ここで説明している「単写モード」時には、上述のように、枠番号「８」の画像が表示される直前に一度だけ黒画像が表示される形態となる。
【０１０３】
図５のステップＳ３２において、制御部２０は、外部メモリＩＦ部２２を制御してメモリカード３６への画像データの記録処理を開始する。ここで行われる画像データ記録処理は、例えばレリーズタイムラグを考慮して使用者が予め設定しておいた画像数分だけ遡った所定の一画像のみを記録する処理である（単写モードの場合）。
【０１０４】
なお、単写モード時における当該画像データ記録処理においては、上述した形態、即ち所定の一画像のみの記録に限られることはない。例えば、レリーズタイムラグを考慮して使用者が予め設定しておいた画像数分だけ遡った所定の一画像と、その前後１コマずつの画像も合わせて合計３枚の画像データを記録する形態でもよい。また、上記所定の一画像以降、所定の時点（例えば２ｎｄレリーズ信号発生時点）までの複数の画像データをまとめて記録するような形態としてもよい。
【０１０５】
図５のステップＳ３３において、制御部２０は、上述のステップＳ３２の処理にて記録処理した画像データに対応する画像を表示する。ここで、複数の画像を記録する形態とした場合には、例えば最も新しい画像を表示した上で、表示画像に重畳させて、その旨（記録画像が複数ある旨）の告知を表示し、かつ所定の操作を行うことによって、表示中の最新画像から一画像ずつ遡って表示することができるようにしてもよい。
【０１０６】
次に、図５のステップＳ３４において、制御部２０は、操作入力部２１を監視して、１ｓｔレリーズＳＷ３４がオフ（ＯＦＦ）されるまで（オン（ＯＮ）信号が途切れるまで）、当該１ｓｔレリーズＳＷ３４の出力信号を確認する。当該１ｓｔレリーズＳＷ３４がオフ（ＯＦＦ）にされたことが確認された場合には、次のステップＳ３５の処理に進む。
【０１０７】
続いて、図５のステップＳ３５において、制御部２０は、外部メモリＩＦ部２２を監視して、画像データの書き込み動作（即ち画像データのメモリカード３６への記録処理）が実行中か否かの確認を行う。この確認処理は、当該画像データ書き込み動作が終了するまで行う。ここで、書き込み処理の終了が確認されると、元のメインシーケンスに戻る（リターン）。そして、ステップＳ８においてパワーオンのままであれば、ステップＳ２へ戻る。
【０１０８】
このような単写モード時における撮像処理においては、不要な撮像を排除して、所望のタイミングによる画像を取得し、それをメモリカードに自動的に保存することができる。
【０１０９】
次に、撮像装置１の撮像動作モードにおいて、当該撮像装置１が連写モードに設定されている場合には、図７，図８に示すサブルーチンが実行される。
【０１１０】
即ち、図３のステップＳ９の撮像処理（連写モード時）が実行開始されると、まず、図７のステップＳ４１において、制御部２０は、バッファメモリ１３の初期化処理（バッファクリア処理）を実行する。
【０１１１】
次に、図７のステップＳ４２において、制御部２０は、黒画像表示モードフラグＦ＿ＢＬＫと、サウンド発音モードフラグＦ＿ＳＮＤの各設定を初期化（クリア）する。
【０１１２】
続いて、図７のステップＳ４３において、制御部２０は、画像データ読み込み処理を実行する。このステップＳ４３の処理は、上述の図３のステップＳ２の処理で行われている処理と同じ処理である。ここでは、その処理が継続して行われているものである。
【０１１３】
次に、図７のステップＳ４４において、制御部２０は、サウンド発音モードフラグＦ＿ＳＮＤの設定状態を確認する。ここで、サウンド発音モードフラグＦ＿ＳＮＤ＝１である（設定されている）ことが確認されると、ステップＳ４５の処理に進む。また、サウンド発音モードフラグＦ＿ＳＮＤ＝０である（設定されていない）ことが確認されると、ステップＳ４６の処理に進む。
【０１１４】
図７のステップＳ４５において、制御部２０は、発音駆動部１９を介してスピーカ３３を駆動制御して所定の発音処理を実行する。
【０１１５】
次に、図７のステップＳ４６において、制御部２０は、黒画像表示モードフラグＦ＿ＢＬＫの設定状態を確認する。ここで、黒画像表示モードフラグＦ＿ＢＬＫ＝１である（設定されている）ことが確認されると、ステップＳ４７の処理に進む。また、黒画像表示モードフラグＦ＿ＢＬＫ＝０である（設定されていない）ことが確認されると、ステップＳ４８の処理に進む。
【０１１６】
図７のステップＳ４７において、制御部２０は、表示駆動部１８を介して表示装置（ＥＶＦ３１又は背面モニタ３２のうちの選択されている一方）を駆動制御して所定の黒画像表示処理を実行する。
【０１１７】
後述するように、Ｆ＿ＳＮＤ，Ｆ＿ＢＬＫは、Ｍ＿ＳＮＤ，Ｍ＿ＢＬＫの設定状態に応じて、２ｎｄレリーズ信号発生以降に画像を記録する場合に設定されるので、ライブビュー表示画像においては、２ｎｄレリーズオン信号の発生以後に取得される画像データの取得タイミング毎に、ライブビュー画像表示の各画像データの合間に黒画像（発音）を挿入して表示させることになる。このような表示形態を取ることにより、２ｎｄレリーズオン信号の発生時点以降、連続して取得される画像データの記録動作毎に、黒画像（発音）が表示されることで、使用者は視覚的に連写モードによる記録がなされていることを識別することができるという効果がある。
【０１１８】
次に、図７のステップＳ４８において、制御部２０は、ライブビュー画像処理を実行する。
【０１１９】
続いて、ステップＳ４９において、制御部２０は、ライブビュー画像表示処理を実行する。
【０１２０】
図７のステップＳ５０において、制御部２０は、操作入力部２１を監視して１ｓｔレリーズＳＷ３４の出力（オン信号）の有無を確認する。ここで、１ｓｔレリーズＳＷ３４のオン（ＯＮ）信号が確認された場合には、１ｓｔレリーズ押圧操作が継続して行われているものと判断されて、次のステップＳ５１の処理に進む。一方、１ｓｔレリーズＳＷ３４のオン（ＯＮ）信号が確認されない場合、即ち１ｓｔレリーズＳＷ３４がオフ（ＯＦＦ）にされた（オン信号が途切れた）ことが確認された場合には、図８のステップＳ６１の処理に進む（図７，図８の符号７Ｂ参照）。
【０１２１】
続いて、図７のステップＳ５１において、制御部２０は、操作入力部２１を監視して２ｎｄレリーズＳＷ３５の出力（オン信号）の有無を確認する。ここで、２ｎｄレリーズＳＷ３５のオン（ＯＮ）信号が確認された場合には、図８のステップＳ５２の処理に進む（図７，図８の符号７Ａ参照）。このとき、例えば図２に示す例では、「レリーズ信号」の欄に示す「２ｎｄ ＯＮ」のタイミングで２ｎｄレリーズ信号が発生している。この２ｎｄレリーズオン信号の発生時点でライブビュー表示されている画像（図２の枠番号「７」）より以降の所定の画像数分が一時保存されることになる。一方、２ｎｄレリーズＳＷ３５のオン（ＯＮ）信号が確認されない場合、即ち２ｎｄレリーズＳＷ３５がオフ（ＯＦＦ）である（オン信号が途切れた）ことが確認された場合には、ステップＳ６２の処理に進む。
【０１２２】
図７のステップＳ６２において、制御部２０は、バッファメモリ１３の第１バッファ領域の空きの有無の確認を行う。ここで、第１バッファ領域に空きがあることが確認された場合には、ステップＳ６４の処理に進む。一方、第１バッファ領域に空きが無いことが確認された場合には、ステップＳ６３の処理に進む。
【０１２３】
図７のステップＳ６３において、制御部２０は、バッファメモリ１３の第１バッファ領域に記録済みの画像データのうち最も旧い画像データ（バッファ第１画像データという）と、第３バッファ領域の画像データのうち上記バッファ第１画像データに対応する画像データの削除処理を実行する。その後、ステップＳ６４の処理に進む。
【０１２４】
図７のステップＳ６４において、制御部２０は、バッファメモリ１３の第１バッファ領域に対して、新たな一枚分の画像データを一時保存する。これと並行して、バッファメモリ１３の第３バッファ領域に対しては、上記第１バッファ領域に記憶された画像データのそれぞれに対応する記録用画像データが一時保存される。その後、上記ステップＳ４２の処理に戻る。
【０１２５】
一方、上述のステップＳ５１の処理にて、２ｎｄレリーズＳＷ３５のオン（ＯＮ）信号が確認されて図８のステップＳ５２の処理に進むと、このステップＳ５２において、制御部２０は、上述の図７のステップＳ５１における２ｎｄレリーズＳＷ３５のオン（ＯＮ）信号の発生した以降に取得された画像数が、予め使用者が設定した所定の画像数に達したか否かの確認を行う。ここで、２ｎｄレリーズＳＷ３５のオン（ＯＮ）信号の発生以降の取得画像数が、予め設定された所定の画像数に達していることが確認された場合には、ステップＳ６５の処理に進む。なお、上記所定数の設定処理は、例えば、図３のメインシーケンスのステップＳ１０の処理に含まれる。
【０１２６】
上述のステップＳ５２の処理にて、２ｎｄレリーズＳＷ３５のオン（ＯＮ）信号の発生以降の取得画像数が、予め設定された所定の画像数に達していないことが確認された場合には、ステップＳ５３の処理に進む。（所定枚数は、予めユーザーが２ｎｄレリーズ以降の撮影コマ数制限を設定していた場合であり、設定の無い場合、即ち２ｎｄレリーズを押下している間連写を継続する場合には、ステップＳ５３は必要ない）。
【０１２７】
続いて、図８のステップＳ５３において、制御部２０は、バッファメモリ１３の第２バッファ領域、第３バッファ領域の空きの有無の確認を行う。ここで、第２バッファ領域、第３バッファ領域に空きがあることが確認された場合には、ステップＳ５４の処理に進む。一方、第２バッファ領域に空きが無いことが確認された場合には、ステップＳ６５の処理に進む。
【０１２８】
次に、図８のステップＳ５４において、制御部２０は、現在のサウンド発音モード「Ｍ＿ＳＮＤ」の設定を確認する。このサウンド発音モード「Ｍ＿ＳＮＤ」は、２ｎｄレリーズオン信号の発生以後に取得される画像データの取得タイミング毎に、例えば擬似シャッター音を発音させる動作モードである。ここで、サウンド発音モード「Ｍ＿ＳＮＤ」が設定されている場合（フラグ＝１；音あり設定）、ステップＳ５５の処理に進む。また、サウンド発音モード「Ｍ＿ＳＮＤ」が設定されていない場合（フラグ＝０；音なし設定）、ステップＳ５６の処理に進む。
【０１２９】
次に、図８のステップＳ５５において、制御部２０は、サウンド発音モードフラグＦ＿ＳＮＤをセットする。
【０１３０】
続いて、図８のステップＳ５６において、制御部２０は、現在の黒画像表示モード「Ｍ＿ＢＬＫ」の設定を確認する。この黒画像表示モード「Ｍ＿ＢＬＫ」は、２ｎｄレリーズオン信号の発生以後に取得される画像データの取得タイミング毎に、通常のライブビュー画像表示の各画像データの合間に、例えば黒画像を表示させる動作モードである（図２の「画像表示（ＬＶ）」欄の「斜線で示す指標（ハッチング部）」の黒画像表示参照）。ここで、黒画像表示モード「Ｍ＿ＢＬＫ」が設定されている場合（フラグ＝１；ブラックアウトあり設定）、ステップＳ５７の処理に進む。また、黒画像表示モード「Ｍ＿ＢＬＫ」が設定されていない場合（フラグ＝０；ブラックアウトなし設定）、ステップＳ５８の処理に進む。  
【０１３１】
次に、図８のステップＳ５７において、制御部２０は、黒画像表示モードフラグＦ＿ＢＬＫをセットする。
【０１３２】
続いて、図８のステップＳ５８において、制御部２０は、バッファメモリ１３の第２バッファ領域に対して、新たな一枚分の画像データを一時保存する。これと並行して、当該一時保存した画像データに対する所定の画像処理を施した後、その処理後の画像データの第３バッファ領域への一時保存処理を実行する。  
【０１３３】
次に、図８のステップＳ５９において、制御部２０は、外部メモリＩＦ部２２を制御して第３バッファ領域の画像データを順次、メモリカード３６へと記録する処理を開始する。ここで、「タイムラグ設定」が設定されている場合は、２ｎｄレリーズ信号が発生した時点より設定数に応じた枚数分だけ遡った画像データ（即ち、１ｓｔレリーズ信号がオンの間に一時保存しておいた画像データ）以降の画像データを記録する。
【０１３４】
続いて、図８のステップＳ６０において、制御部２０は、操作入力部２１を監視して２ｎｄレリーズＳＷ３５の出力（オン信号）の有無を確認する。ここで、２ｎｄレリーズＳＷ３５のオン（ＯＮ）信号が確認された場合には、図７のステップＳ４３の処理に戻る（図７，図８の符号８Ａ参照）。一方、２ｎｄレリーズＳＷ３５のオン（ＯＮ）信号が確認されない場合、即ち２ｎｄレリーズＳＷ３５がオフ（ＯＦＦ）である（オン信号が途切れた）ことが確認された場合には、ステップＳ６１の処理に進む。
【０１３５】
次に、図８のステップＳ６１において、制御部２０は、外部メモリＩＦ部２２を監視して、画像データの書き込み動作（即ち画像データのメモリカード３６への記録処理）が実行中か否かの確認を行う。この確認処理は、当該画像データ書き込み動作（即ち、メモリーカードへの記録）が終了するまで行う。ここで、書き込み処理の終了が確認されると、元のメインシーケンスに復帰する（リターン）。
【０１３６】
上述のステップＳ５２，Ｓ５３からステップＳ６５に分岐した場合、即ち、予め設定されている２ｎｄレリーズ信号発生以降のコマ数を撮影し終えた場合や、撮影は継続しているが、第２バッファ領域、第３バッファ領域に空きが無くなった場合は、ステップＳ６５でＦ＿ＳＮＤ，Ｆ＿ＢＬＫをクリアする。この処理により、図7の符号８Ａに戻って処理を継続するときに、ステップＳ４５の発音処理、ステップＳ４７の黒画像表示処理が実行されないことになる。つまり、画像を記録しない場合には、発音も黒画像表示も行われない。
【０１３７】
図２の枠番号「１５」、「１６」は、バッファに空きがないので、記録することができないので、黒画像表示がされていないことが、上記の場合に相当する。なお、画像のカードへの記録が終了する度に、バッファに空き領域ができるので、その時点で、取り込んだ画像は、再び黒画像表示、記録が再開されることになる（枠番号「１７」参照）。
【０１３８】
次に、図３のステップＳ６の設定変更処理に含まれる各種処理シーケンスのうち「コマ数設定」処理シーケンスの詳細を以下に説明する。
【０１３９】
図９は、本実施形態の撮像装置のメインシーケンスにおける設定変更処理（図３のステップＳ１０の処理）の「コマ数設定」処理シーケンスを示すフローチャートである。図１０は、図９の「コマ数設定」処理において設定されるコマ数の概念を説明するための説明図である。図１１，図１２は、図９の「コマ数設定」処理シーケンスのうちの「タイムラグ設定」処理シーケンス（図９のステップＳ７３の処理）を示すフローチャートである。なお、図１１は当該フローチャートの前半部を示し、図１２は当該フローチャートの後半部を示している。
【０１４０】
まず、「コマ数設定」処理について以下に説明する。図１０は、本実施形態の撮像装置１によって撮像動作が行われる際に表示装置（（ＥＶＦ３１又は背面モニタ３２）を用いて表示されるライブビュー表示画像を概念的に示している。
【０１４１】
図１０において、各画像枠内には使用者が撮像対象とする被写体の時系列変化を表している。各画像枠内の右上隅に示す数字は、枠番号を示す。この枠番号は、図１０に示す表示例において、番号順に画像が取得されていることを表しているものとする。
【０１４２】
図１０において、枠番号「１」の画像が取得されているタイミングで１ｓｔレリーズ操作が行われて１ｓｔレリーズ信号が発生し、画像データの第１バッファ領域への取り込み（一時保存）処理が開始し、以降、１ｓｔレリーズ信号は継続して発生しているものとする。
【０１４３】
この場合において、使用者は、ライブビュー表示画像を見ながら撮像対象の被写体を追いつつ、所望のタイミングで２ｎｄレリーズ操作を行うことになる。
【０１４４】
図１０において、使用者が撮像を所望する画像は枠番号「１４」であるものとする。そのために、使用者が枠番号「１４」の画像を取得するために所定のタイミングで２ｎｄレリーズ操作を行ったとする。しかしながら、レリーズタイムラグが存在するために、実際の２ｎｄレリーズ信号は、枠番号「２０」の画像が取得されているタイミングで発生したものとする。
【０１４５】
この場合において、レリーズタイムラグを考慮すると、使用者の所望の画像（枠番号「１４」）は、実際の２ｎｄレリーズ信号が発生した時点（枠番号「２０」）から、Ｎコマ＝６コマ分だけ遡った所定の画像が相当する。
【０１４６】
したがって、この例の場合には、レリーズタイムラグを考慮したコマ数設定の値Ｎ＝６として設定する。そして、この設定値に基づいて、実際にメモリカード３６に記録する画像データを決定する。
【０１４７】
即ち、１ｓｔレリーズ信号の発生時点から以降の画像データを第１バッファ領域に順次一時的に記録し続け、２ｎｄレリーズ信号が発生したら、その２ｎｄレリーズ信号の発生時点から上記コマ数設定値Ｎ＝６コマ分遡った所定の画像の画像データをメモリカード３６に記録する。このとき、当該Ｎ＝６に相当する画像データに加えて、その前後１コマずつを含めて合計三枚を記録するようにしてもよい。また、上記６コマ分遡った所定の画像と、それ以降の連続する複数画像を、所定の時点（例えば２ｎｄレリーズ信号発生時点）までの全てを記録するような形態としてもよい。
【０１４８】
このように、図１０に示す例では、使用者が２ｎｄレリーズ操作を行ったと思っているタイミングに取り込まれる画像データと、実際に２ｎｄレリーズ信号が発生したタイミングで取り込まれる画像データとの間には、６コマ分の差（遅れ；タイムラグ）が存在する。この遅れ分（タイムラグ）は、使用者の反応遅れと、装置自体の反応遅れと、を合わせたレリーズタイムラグである。
【０１４９】
ここで、図３のステップＳ６の設定変更処理に含まれる各種処理シーケンスのうち「コマ数設定」処理シーケンスの詳細を、図９を用いて以下に説明する。この「コマ数設定」処理は、撮像動作時に生じ使用者及び撮像装置毎に固有のタイムラグを考慮して、２ｎｄレリーズ信号の発生時点とは異なる時点（複数コマ分を遡った時点）で取り込まれる画像データを、実際に記録される画像データとするために予め設定しておく設定値である。具体的には、上記２ｎｄレリーズ信号の発生時点から遡るコマ数の設定である。
【０１５０】
つまり、上記「コマ数設定」処理は、予め所望の画像を得るための設定であって、２ｎｄレリーズ信号の発生時点を基準として、遡るコマ数の設定処理である。
【０１５１】
なお、単写モード時におけるコマ数設定値と、連写モード時におけるコマ数設定値との二つの設定値を持つようにしてもよい。この場合、単写モード時に対応する設定値は、遡りコマ数設定値そのものであり、連写モード時に対応する設定値は、遡りコマ数設定値と、それ以降の記録すべきコマ数値である。
【０１５２】
図９の「コマ数設定」処理シーケンスが実行されると、まず、図９のステップＳ７１において、制御部２０は、操作入力部２１を監視して手動操作による所定のコマ数設定操作（マニュアル設定操作）がなされたか否かの確認を行う。ここで、マニュアル設定操作が確認された場合には、ステップＳ７２の処理に進む。また、マニュアル設定操作が確認されなかった場合には、ステップＳ７３の処理に進む。
【０１５３】
図９のステップＳ７２において、制御部２０は、使用者による操作入力部２１の操作入力を受けて、使用者が所望する任意のコマ数値、即ち２ｎｄレリーズ操作に伴う撮像動作時に実際に記録される画像データの遡りコマ数値を設定する。その後、メインシーケンスにリターンする。
【０１５４】
一方、図９のステップＳ７３において、制御部２０は、所定の「タイムラグ設定」処理シーケンス（サブルーチン）を実行する。この「タイムラグ設定」処理シーケンス（サブルーチン）の詳細は図１１，図１２を用いて後述する。このステップＳ７３の「タイムラグ設定」処理を終えると、次のステップＳ７４の処理に進む。
【０１５５】
次に、図９のステップＳ７４において、制御部２０は、現在の設定を確認し、単写モードが設定されているか否かの確認を行う。ここで、単写モードが設定されていれば、ステップＳ７５の処理に進む。また、単写モードが設定されていなければ（連写モードが設定されていれば）、ステップＳ７６処理に進む。
【０１５６】
図９のステップＳ７５において、制御部２０は、単写モードに応じてコマ数設定値を設定する。その後、一連の処理を終了する（リターン）。
【０１５７】
図９のステップＳ７６において、制御部２０は、連写モードに応じてコマ数設定値を設定する。その後、一連の処理を終了する（リターン）。
【０１５８】
次に、図９のステップＳ７３の「タイムラグ設定」処理シーケンスの詳細を、図１１，図１２を用いて以下に説明する。図１１，図１２で例示する「タイムラグ設定」処理は、使用者が任意の遡りコマ数値を手動操作によって指定することで、レリーズタイムラグを考慮したレリーズタイミングの設定を行うための処理である。
【０１５９】
図１１のステップＳ８１において、制御部２０は、バッファメモリ１３の初期化処理（バッファクリア処理）を実行する。
【０１６０】
続いて、図１１のステップＳ８２において、制御部２０は、コマ数設定値の初期化処理を行う。ここで、コマ数設定値の初期化処理とは、１ｓｔレリーズ信号が発生している期間に取り込まれた画像データをバッファメモリ１３の第１バッファ領域に記録することのできる最大枚数を設定する処理である。
【０１６１】
次に、図１１のステップＳ８３において、制御部２０は、画像データ読み込み処理を実行する。この画像データ読み込み処理は、制御部２０が撮像駆動部１６を介して撮像素子１１を駆動制御して行われる処理である。つまり、撮像素子１１は、撮像面（不図示）上に結像される光学像を、撮像素子１１により光電変換してアナログ画像信号を生成する。このアナログ画像信号は、ＡＦＥ回路部１２へと出力され、当該ＡＦＥ回路部１２においてデジタル変換処理等を含む各種の前処理が行われてデジタル画像データを生成する。このデジタル画像データは画像処理部１４へと出力される。これら一連の処理を画像データ読み込み処理というものとする。
【０１６２】
続いて、図１１のステップＳ８４において、制御部２０は、ライブビュー画像処理を実行する。
【０１６３】
次の図１１のステップＳ８５において、制御部２０は、ライブビュー画像表示処理を実行する。
【０１６４】
続いて、図１１のステップＳ８６において、制御部２０は、操作入力部２１を監視して１ｓｔレリーズＳＷ３４の出力（オン信号）の有無を確認する。ここで、１ｓｔレリーズＳＷ３４のオン（ＯＮ）信号が確認された場合には、次のステップＳ８７の処理に進む。１ｓｔレリーズＳＷ３４のオン（ＯＮ）信号が確認されない場合には、上述のステップＳ８３の処理に戻る。
【０１６５】
次に、図１１のステップＳ８７において、制御部２０は、操作入力部２１を監視して１ｓｔレリーズＳＷ３４の出力（オン信号）の有無を確認する。ここで、１ｓｔレリーズＳＷ３４のオン（ＯＮ）信号が確認された場合には、次のステップＳ８７の処理に進む。１ｓｔレリーズＳＷ３４のオン（ＯＮ）信号が確認されない場合には、上述のステップＳ８３の処理に戻る。
【０１６６】
続いて、図１１のステップＳ８７において、制御部２０は、操作入力部２１を監視して２ｎｄレリーズＳＷ３５の出力（オン信号）の有無を確認する。ここで、２ｎｄレリーズＳＷ３５のオン（ＯＮ）信号が確認された場合には、図１２のステップＳ８８の処理に進む（図１１，図１２の符号１１Ａ参照）。一方、２ｎｄレリーズＳＷ３５のオン（ＯＮ）信号が確認されない場合、即ち２ｎｄレリーズＳＷ３５がオフ（ＯＦＦ）である（オン信号が途切れた）ことが確認された場合には、ステップＳ９６の処理に進む。
【０１６７】
図１１のステップＳ９６において、制御部２０は、バッファメモリ１３の第１バッファ領域の空きの有無の確認を行う。ここで、第１バッファ領域に空きがあることが確認された場合には、ステップＳ９８の処理に進む。一方、第１バッファ領域に空きが無いことが確認された場合には、ステップＳ９７の処理に進む。
【０１６８】
図１１のステップＳ９７において、制御部２０は、バッファメモリ１３の第１バッファ領域に記録済みの画像データのうち最も旧いバッファ第１画像データと、第３バッファ領域の画像データのうち上記バッファ第１画像データに対応する画像データの削除処理を実行する。その後、ステップＳ９８の処理に進む。
【０１６９】
図１１のステップＳ９８において、制御部２０は、バッファメモリ１３の第１バッファ領域に対して、新たな一枚分の画像データを一時保存する。これと並行して、バッファメモリ１３の第３バッファ領域に対しては、上記第１バッファ領域に記憶された画像データのそれぞれに対応する記録用画像データが一時保存される。その後、上記ステップＳ８３の処理に戻る。
【０１７０】
一方、上述のステップＳ８７の処理にて、２ｎｄレリーズＳＷ３５のオン（ＯＮ）信号が確認されて図１２のステップＳ８８の処理に進むと、このステップＳ８８において、制御部２０は、２ｎｄレリーズ操作が行われた時点の画像データについて、第２バッファ領域への画像データ一時保存処理を行う。
【０１７１】
次に、図１２のステップＳ８９において、制御部２０は、画像記録処理を開始する。このステップＳ８９で行う画像記録処理は、第３バッファ領域に一時保存されている画像データのメモリカード３６への記録処理である。
【０１７２】
図１２のステップＳ９０において、制御部２０は、外部メモリＩＦ部２２を監視して、画像データのメモリカード３６への書き込み動作（記録処理）が実行中か否かの確認を行う。この確認処理は、当該画像データ書き込み動作が終了するまで行う。ここで、書き込み処理の終了が確認されると、次のステップＳ９１の処理に進む。
【０１７３】
図１２のステップＳ９１において、制御部２０は、表示駆動部１８を介して表示装置（ＥＶＦ３１又は背面モニタ３２）を駆動制御して最終画像表示処理を行う。ここで表示される最終画像は、上述のステップＳ８７の処理にて２ｎｄレリーズ操作がなされた時点に対応する画像データに基く画像である。
【０１７４】
続いて、図１２のステップＳ９２において、制御部２０は、操作入力部２１を監視して戻し操作が行われたか否かの確認を行う。この戻し操作とは、使用者が所定の被操作部材を操作して、表示装置に表示中の画像を切り換えるための操作のうち、現在表示中の画像よりも時間的に以前に取得された画像を表示させる操作である。この場合において、表示させることのできる画像は、最終画像（２ｎｄレリーズ操作時点の画像）から時間的に遡る一連の画像であって、１ｓｔレリーズ操作中に取得した画像のうち第１バッファ領域に一時記録された画像である。
【０１７５】
このステップＳ９２の処理において、戻し操作が確認された場合には、次のステップＳ９３の処理に進み、このステップＳ９３において、制御部２０は、現在表示中の画像から、この表示画像よりも１コマ分以前の画像を表示する。その後、ステップＳ９９の処理に進む。
【０１７６】
一方、上記ステップＳ９２の処理において、戻し操作が確認されない場合には、ステップＳ９４の処理に進み、このステップＳ９４において、制御部２０は、操作入力部２１を監視して送り操作が行われたか否かの確認を行う。この送り操作とは、使用者が所定の被操作部材を操作して、表示装置に表示中の画像を切り換えるための操作のうち、現在表示中の画像よりも時間的に以後に取得された画像を表示させる操作である。ここで、送り操作が確認された場合には、次のステップＳ９５の処理に進み、このステップＳ９５において、制御部２０は、現在表示中の画像から、この表示画像よりも１コマ分以前の画像を表示する。また、送り操作が確認されない場合には、次のステップＳ９９の処理に進む。
【０１７７】
図１２のステップＳ９９において、制御部２０は、操作入力部２１を監視して決定操作が行われたか否かの確認を行う。ここで、例えば、被操作部材の一つである操作決定ボタン等の押圧によって決定操作が確認されると、次のステップＳ１００の処理に進む。また、決定操作が確認されない場合には、上述のステップＳ９２の処理に戻る。
【０１７８】
このように、使用者は、記録された複数の一連の画像データについて、戻し操作と送り操作を行ないながら所望のタイミングで撮像された画像を選択し指定することで、所望の画像を決定する。
【０１７９】
換言すると、第１バッファ領域に一時記録された画像（第１の撮像手段により撮像された複数の画像）のうちから、２ｎｄレリーズ信号の発生タイミングで取得された画像（第２の撮像手段で撮像され第２の信号を受けた直後の画像）とは異なる所望の画像を選択する。この場合において、戻し操作や送り操作，決定操作を行うための被操作部材（不図示）と、その被操作部材に応じて所定の信号を出力するスイッチ部材（不図示）と、このスイッチ部材の出力信号を受けてコマ数設定値の設定等の所定の設定を行う制御部２０等によって所望の画像を選択する画像選択手段が構成されている。
【０１８０】
図１２のステップＳ１００において、制御部２０は、レリーズタイムラグ相当の枚数を設定する処理を行う。つまり、上記ステップＳ９９の処理にて決定操作が行われた時点において表示されている画像と、上記最終画像との間の差分のコマ数を求め、このコマ数の数値を、当該撮像装置１において使用者に起因して生ずるレリーズタイムラグ（コマ数設定値）として登録（保存）する。この時点において、表示装置（ＥＶＦ３１又は背面モニタ３２）の表示画面上には、選択された所望の画像が表示されている。その後、一連の処理を終了し、元のシーケンスに復帰する（リターン）。
【０１８１】
このタイムラグ測定処理は、撮像測定モード手段（撮像手段（１０，１１，１２，１３））による作用である。即ち、当該タイムラグ測定処理では、撮像素子１１（第１の撮像手段と第２の撮像手段）を含む撮像手段により撮像を行い、画像選択手段を用いて使用者が所望の画像を選択し、これにより選択された所望の画像に基づいて測定手段及び測定結果記憶手段を作用させる処理である。
【０１８２】
即ち、上記一実施形態によれば、１ｓｔレリーズ操作によって連続して取得される複数の画像の中から、所望の画像を選択し、２ｎｄレリーズ操作の発生時点の画像から、その所望の画像までの遡り画像数を、レリーズタイムラグを考慮したコマ数設定値として設定し、このコマ数設定値に基づいて、以降の撮像動作時の取得画像のタイミングを設定するようにしている。
【０１８３】
このタイムラグ設定処理においては、制御手段である制御部２０は、第２の撮像手段による最初の撮像画像（２ｎｄレリーズ信号の発生時点の画像）から計時された時間若しくは設定された画像数（コマ数）を遡り、第１の撮像手段により取得した複数の画像のうちの一画像（即ち所望の画像であり決定操作した画像）を表示させる制御を行っている。
【０１８４】
この場合において、遡る基準画像は、上述の例示では、第２の撮像手段による最初の撮像画像（２ｎｄレリーズ信号の発生時点の画像）としたが、これに限ることはない。例えば、遡る基準画像としては、第１の撮像手段による最終の画像（２ｎｄレリーズ信号発生直前の画像）としてもよい。
【０１８５】
次に、図９のステップＳ７３の「タイムラグ設定」処理シーケンスについての別の例示であって「タイムラグ測定」処理シーケンスを、図１３を用いて以下に説明する。図１３で例示する「タイムラグ測定」処理は、使用者が所定の操作を行うことで、遡りコマ数値が自動的に設定され、レリーズタイムラグを考慮した所望の画像を得るためのタイムラグを自動的に測定し設定する処理である。具体的には、第１の撮像手段で得られた所望の画像までの時間、若しくは画像数を、測定手段によって自動的に計る処理である。このタイムラグ測定処理は、所望の画像を得るための第２の操作に対する被操作部材への操作遅れを測定するための処理であり、表示手段に被操作部材への準備操作を促すための第１の表示を行い、撮像を行わない第２の操作を指示する第２の表示を行い、該第２の操作が行われると、該第２の表示から該第２の操作までの時間を計時し、該計時時間を記憶する処理である。これら一連の処理は、操作遅れ計測手段（表示手段，制御手段，計時手段等）による作用である。以下に、タイムラグ測定処理シーケンスを詳述する。
【０１８６】
図１３のステップＳ１０１において、制御部２０は、表示駆動部１８を介して表示装置（ＥＶＦ３１又は背面モニタ３２）を駆動制御して所定の説明文（１）を所定の時間（例えば３秒間）継続して表示する処理を行う。
【０１８７】
ここで、所定の説明文（１）のデータは、内部メモリ２３（フラッシュメモリ）に予め書き込まれており、制御部２０は、上記説明文（１）に関するデータを当該内部メモリ２３（フラッシュメモリ）から読み込んで表示装置に表示する。
【０１８８】
なお、上記説明文（１）の具体的な文言としては、例えば、「レリーズタイムラグを測定します  中央に[◎]印が表示された瞬間にシャッターを押し込んでください」等である。
【０１８９】
続いて、図１３のステップＳ１０２において、制御部２０は、操作入力部２１を監視して１ｓｔレリーズＳＷ３４の出力（オン信号）の有無を確認する。ここで、１ｓｔレリーズＳＷ３４のオン（ＯＮ）信号が確認された場合には、次のステップＳ１０３の処理に進む。１ｓｔレリーズＳＷ３４のオン（ＯＮ）信号が確認されない場合には、ステップＳ１０４の処理に進む。
【０１９０】
図１１のステップＳ１０３において、制御部２０は、表示駆動部１８を介して表示装置（ＥＶＦ３１又は背面モニタ３２）を駆動制御して所定の説明文（２）を継続して表示する処理を行う。その後、上述のステップＳ１０２の処理に戻る。つまり、この説明文（２）の表示は、シャッターボタンの操作による１ｓｔレリーズ操作が解除されるまで継続する。
【０１９１】
ここで、所定の説明文（２）のデータは、内部メモリ２３（フラッシュメモリ）に予め書き込まれており、制御部２０は、上記説明文（２）に関するデータを当該内部メモリ２３（フラッシュメモリ）から読み込んで表示装置に表示する。
【０１９２】
なお、上記説明文（２）の文言は、最初からシャッターボタンが押圧操作されていた場合（１ｓｔレリーズオン状態の場合）には、操作の開放を促すメッセージである。具体的には、例えば、「一旦シャッターボタンから  指を離してください」等である。
【０１９３】
次に、図１３のステップＳ１０４において、制御部２０は、表示駆動部１８を介して表示装置（ＥＶＦ３１又は背面モニタ３２）を駆動制御して所定の説明文（３）を表示する処理を行う。その後、次のステップＳ１０５の処理に進む。
【０１９４】
ここで、所定の説明文（３）のデータは、内部メモリ２３（フラッシュメモリ）に予め書き込まれており、制御部２０は、上記説明文（３）に関するデータを当該内部メモリ２３（フラッシュメモリ）から読み込んで表示装置に表示する。
【０１９５】
なお、上記説明文（３）の文言は、以降の操作に関するアドバイス表示である。具体的には、例えば、「準備ができたらシャッターボタンを半押しして  そのままに保持してください」等である。
【０１９６】
続いて、図１３のステップＳ１０５において、制御部２０は、操作入力部２１を監視して１ｓｔレリーズＳＷ３４の出力（オン信号）の有無を確認する。ここで、１ｓｔレリーズＳＷ３４のオン（ＯＮ）信号が確認された場合には、次のステップＳ１０６の処理に進む。１ｓｔレリーズＳＷ３４のオン（ＯＮ）信号が確認されない場合には、確認されるまで同じ確認処理を繰り返す。このステップＳ１０６で、説明文（３）の表示を消して（非表示）、次のステップＳ１０７の処理に進む。
【０１９７】
図１３のステップＳ１０７において、制御部２０は、タイマーに乱数をセットする処理を実行する。ここで行われる処理は、後述する所定の指標「◎」を表示するタイミングをランダムにするための処理である。具体的には、例えば、３〜１０秒程度の範囲内でタイマーに乱数をセットする。ここで、タイマーは、図示を省略しているが、制御部２０の内部に設けられ、時間を計時する計時手段である。
【０１９８】
続いて、図１３のステップＳ１０８において、制御部２０は、タイマーによる計時動作を開始させる（タイマースタート処理）。
【０１９９】
次に、図１３のステップＳ１０９において、制御部２０は、操作入力部２１を監視して再度、１ｓｔレリーズＳＷ３４の出力（オン信号）の有無を確認する。ここで、１ｓｔレリーズＳＷ３４のオン（ＯＮ）信号が確認された場合には、次のステップＳ１１０の処理に進む。また、１ｓｔレリーズＳＷ３４のオン（ＯＮ）信号が確認されない場合には、上述のステップＳ１０１の処理に戻り、以降の処理を繰り返す。
【０２００】
図１３のステップＳ１１０において、制御部２０は、タイマーの計時を確認してタイムアップになっていないか否かの確認を行う。ここで、タイムアップが確認された場合には、次のステップＳ１１１の処理に進む。また、タイムアップが確認されない場合には、上述のステップＳ１０９の処理に戻る。
【０２０１】
図１３のステップＳ１１１において、制御部２０は、操作入力部２１を監視して２ｎｄレリーズＳＷ３５の出力（オン信号）の有無を確認する。ここで、２ｎｄレリーズＳＷ３５のオン（ＯＮ）信号が確認された場合には、上述のステップＳ１０１の処理に進む。一方、２ｎｄレリーズＳＷ３５のオン（ＯＮ）信号が確認されない場合、即ち２ｎｄレリーズＳＷ３５がオフ（ＯＦＦ）である（オン信号が途切れた）ことが確認された場合には、ステップＳ１１２の処理に進む。
【０２０２】
図１３のステップＳ１１２において、制御部２０は、表示手段を駆動制御して、即ち表示駆動部１８を介して表示装置（ＥＶＦ３１又は背面モニタ３２）を駆動制御して、所定の指標（◎）を上記表示装置の表示画面に表示する処理を行う。この所定の指標（◎）は、操作者に２ｎｄレリーズ操作（第２の操作）を指示する表示である。その後、次のステップＳ１１３の処理に進む。
【０２０３】
つまり、上記ステップＳ１１２の処理にて表示装置に所定の指標「◎」が表示される以前において、シャッターボタン操作は上記ステップＳ１０９〜ステップＳ１１１の処理にて確認している。そして、所定の指標「◎」が表示される以前に、シャッターボタンが押し込まれた場合、つまり２ｎｄレリーズ操作が行われた場合には、上述のステップＳ１０２の処理に戻り、最初からやり直しとなる。
【０２０４】
図１３のステップＳ１１３において、制御部２０は、タイマー計時処理を開始する。このタイマー計時処理は、指標「◎」が表示されてから、シャッターボタンが押し込まれるまで（２ｎｄレリーズ操作がなされるまで）の時間を測定する処理である。このとき計時手段であるタイマーは、指標「◎」が表示されてから、シャッターボタンが押し込まれるまで（２ｎｄレリーズ操作がなされるまで）の時間を測定する。
【０２０５】
図１３のステップＳ１１４において、制御部２０は、操作入力部２１を監視して２ｎｄレリーズＳＷ３５の出力（オン信号）の有無を確認する。ここで、２ｎｄレリーズＳＷ３５のオン（ＯＮ）信号が確認された場合には、上述のステップＳ１１５の処理に進む。また、２ｎｄレリーズＳＷ３５のオン（ＯＮ）信号が確認されない場合には、当該オン信号が確認されるまで同じ確認処理を繰り返す。
【０２０６】
図１３のステップＳ１１５において、制御部２０は、タイマー計時処理を停止する。これにより、上記指標「◎」が表示されてからシャッターボタンが押し込まれるまで（２ｎｄレリーズ信号が出力されるまで）の時間が測定される。
【０２０７】
このように、上記制御部２０の内部に設けられるタイマー（不図示）は、第２の撮像手段で得られた所望の画像までの時間を自動的に計る測定手段として機能している。
【０２０８】
図１３のステップＳ１１６において、制御部２０は、上記ステップＳ１１３〜Ｓ１１５の処理にて測定された測定時間データに基づいて、レリーズタイムラグ相当の枚数（コマ数設定値）を設定し、例えば内部メモリ２３の所定の記憶領域に登録（保存）する処理を行う。この場合において、例えば内部メモリ２３は測定結果記憶手段として機能する。これにより、表示装置（ＥＶＦ３１又は背面モニタ３２）の表示画面上に、第１の撮像手段により撮像された複数の画像の中から、２ｎｄレリーズオン直後の撮像画像若しくは１ｓｔレリーズによる最終の画像から、このレリーズタイムラグ分の時間若しくはコマ数を遡って、画像を選択して、その画像を表示するようにしてもよい。その場合には、制御部２０により表示駆動部１８を介して表示装置（ＥＶＦ３１又は背面モニタ３２）を駆動制御することにより行われる。
【０２０９】
ここで、１ｓｔレリーズ信号や２ｎｄレリーズ信号は、必ずしも撮像されたコマとコマとの間のタイミングで発生するものではない。したがって、コマ数設定値を設定するのに際しては、各信号発生タイミングの近傍のコマ数にて設定するようにすればよい。その後、一連の処理を終了し、元のシーケンスに復帰する（リターン）。
【０２１０】
なお、図１３で示す例示では、レリーズタイムラグの測定を一回のみ行って、レリーズタイムラグ（コマ数設定値）を決定し設定する処理としているが、これに限られることはない。例えば、同様の測定処理を複数回繰り返す処理として、その平均化した数値をレリーズタイムラグのコマ数設定値として設定するようにしてもよい。
【０２１１】
また、同様に、複数回の測定処理によって得られた複数の設定値のうち、最大値（ＭＡＸ）と最小値（ＭＩＮ）との間の設定値を採用するようにしてもよい。さらに、その場合、決定されたコマ数設定値に加えてその前後の複数枚を記録するような設定としてもよい。
この構成により、本実施形態の撮像装置１においては、装置や使用者に起因して生じるレリーズタイムラグを予め測定しておき、その測定結果を考慮して、撮像動作時の画像記録処理を行うようにしたので、使用者は、レリーズタイムラグを意識すること無く、通常操作を行うのみで、所望の画像を常に容易に取得することができるようになる。
【０２１２】
なお、上述の一実施形態で説明した各処理シーケンスは、その性質に反しない限り、手順の変更を許容し得る。したがって、上述の処理シーケンスに対して、例えば各処理ステップの実行順序を変更したり、複数の処理ステップを同時に実行させたり、一連の処理シーケンスを実行する毎に、各処理ステップの順序が異なるようにしてもよい。即ち、特許請求の範囲，明細書及び図面中の動作フローに関して、便宜上「まず、」、「次に、」等を用いて説明したとしても、この順で実施することが必須であることを意味するものではない。また、これらの動作フローを構成する各ステップにおいては、発明の本質に影響しない部分について適宜省略することも可能であることは言うまでもない。
【０２１３】
また、ここで説明した技術のうち、主にフローチャートで説明した制御や機能は、多くがソフトウエアプログラムにより設定可能であることが多くあり、そのソフトウエアプログラムをコンピュータが読み取り実行することで上述した制御や機能を実現することができる。そのソフトウエアプログラムは、コンピュータプログラム製品として、予め製品製造過程において上記記憶媒体や記憶部等、具体的には例えばフレキシブルディスク ＣＤ−ＲＯＭ等 不揮発性メモリ等の可搬媒体やハードディスク 揮発性メモリ等の記憶媒体に、その全体あるいは一部を記憶又は記録されている電子データである。また、これとは別に、製品出荷時又は可搬媒体或いは通信回線を介して流通又は提供が可能なものである。利用者は、製品出荷後であっても、自ら通信ネットワークやインターネット等を介して、それらのソフトウエアプログラムをダウンロードしてコンピュータにインストールしたり、あるいは記憶媒体からコンピュータにインストールすることで、動作可能にすることができ、これによって容易に本実施形態の撮像装置を実現することができる。
【０２１４】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。さらに、異なる実施形態にわたる構成要素を適宜組み合わせてもよい。この発明は、添付のクレームによって限定される以外にはそれの特定の実施態様によって制約されない。
【産業上の利用可能性】
【０２１５】
本発明は、撮像機能に特化した撮像装置のみに限られることはなく、撮像機能を備えたその他の形態の電子機器、例えばデジタルカメラ，ムービーカメラ，携帯電話，スマートフォン，電子手帳，電子辞書，携帯情報端末，パーソナルコンピュータ，タブレット型端末機器，ゲーム機器，テレビジョン受像器，時計，ＧＰＳ（Global Positioning System）を利用したナビゲーション機器等、各種の撮像機能付き電子機器に対して広く適用することができる。
【０２１６】
また、内視鏡，顕微鏡のような産業用若しくは医療用の撮像画像観察記録機器等のほか、監視カメラや車載用カメラ等の撮像装置であっても同様に適用することができる。
【符号の説明】
【０２１７】
１……撮像装置
１０……撮像光学系
１１……撮像素子
１２……ＡＦＥ回路部１２
１３……バッファメモリ
１４……画像処理部
１５……圧縮伸張部
１６……撮像駆動部
１７……ＡＦ駆動部
１８……表示駆動部
１９……発音駆動部
２０……制御部
２１……操作入力部
２２……外部メモリＩＦ部
２３……内部メモリ
３１……ＥＶＦ
３２……背面モニタ
３３……スピーカ
３４……１ｓｔレリーズＳＷ
３５……２ｎｄレリーズＳＷ
３６……メモリカード
３７……データバス
１００……被写体
Ｏ……光軸
【図１】
2018046514.tif 000003
【図２】
2018046514.tif 000004
【図３】
2018046514.tif 000005
【図４】
2018046514.tif 000006
【図５】
2018046514.tif 000007
【図６】
2018046514.tif 000008
【図７】
2018046514.tif 000009
【図８】
2018046514.tif 000010
【図９】
2018046514.tif 000011
【図１０】
2018046514.tif 000012
【図１１】
2018046514.tif 000013
【図１２】
2018046514.tif 000014
【図１３】
2018046514.tif 000015